(57)【要約】      （修正有）【課題】携帯性に優れた粘着クリーナを提供する。【解決手段】中空円筒状の基材シート３と、基材シート３の少なくとも外周側に設けられた粘着層５と、を備える。基材シート３の内周側に、ロー引き加工、起毛加工、シリコン加工、及びラミネート加工のうちのいずれかが施されていることが好ましい。粘着層５を覆い、使用時には剥離可能な保護シートを備えることが好ましい。基材シート３は、紙、プラスチックフィルム、布、及び不織布のうちのいずれかから成ることが好ましい。【選択図】図１
0003156411.tif 000002
【実用新案登録請求の範囲】
【請求項１】
中空円筒状の基材シートと、
前記基材シートの少なくとも外周側に設けられた粘着層と、
を備える粘着クリーナ。
【請求項２】
前記基材シートの内周側に、ロー引き加工、起毛加工、シリコン加工、及びラミネート加工のうちのいずれかが施されていることを特徴とする請求項１記載の粘着クリーナ。
【請求項３】
前記粘着層を覆い、使用時には剥離可能な保護シートを備えることを特徴とする請求項１又は２記載の粘着クリーナ。
【請求項４】
前記基材シートは、紙、プラスチックフィルム、布、及び不織布のうちのいずれかから成ることを特徴とする請求項１〜３のいずれか１項に記載の粘着クリーナ。
【考案の詳細な説明】
【技術分野】
【０００１】
本考案は、粘着クリーナに関する。
【背景技術】
【０００２】
従来、種々のゴミ、塵埃を除去することを目的とするローラ式粘着クリーナが知られている（特許文献１参照）。このローラ式粘着クリーナは、巻芯の外周面に粘着シートを取り付けて成る粘着ロールを、取手及びロール装着部材を備えた本体部に装着したものである。使用するとき、ユーザは取手を持ち、粘着ロールを清掃すべき面（例えば床面等）に押し付け、清掃面に沿って、粘着ロールを移動させる。粘着ロールは、本体部に回転可能に取り付けられているので、床面等の上を転動する。このとき、ゴミ、塵埃が、粘着ロールの粘着シートに付着する。
【先行技術文献】
【特許文献】
【０００３】
【特許文献１】特開２００３−１９００７４号公報
【考案の概要】
【考案が解決しようとする課題】
【０００４】
ローラ式粘着クリーナは、粘着ロールだけでなく、本体部も備えるため、携帯に不便であった、そのため、例えば、外出先で衣服に付着したペットの毛、ゴミ、塵埃等を除去する用途には使いにくかった。
【０００５】
本考案は以上の点に鑑みなされたものであり、携帯性に優れた粘着クリーナを提供することを目的とする。
【課題を解決するための手段】
【０００６】
本考案の粘着クリーナは、中空円筒状の基材シートと、前記基材シートの少なくとも外周側に設けられた粘着層と、を備える。
本考案の粘着クリーナは、従来のローラ式粘着クリーナとは異なり、取手や本体部が必要ないため、携帯性に優れている。そのため、例えば、外出先で衣服に付着したペットの毛、ゴミ、塵埃等を除去することができる。
【０００７】
本考案の粘着クリーナは、基材シートの内周側に、ロー引き加工、起毛加工、シリコン加工、及びラミネート加工のうちのいずれかが施されていることが好ましい。
こうすることにより、基材シートと指との摩擦力を低減し、指に対して粘着クリーナを回転させる使用方法（後述）を容易に行うことができる。
【０００８】
本考案の粘着クリーナは、粘着層を覆い、使用時には剥離可能な保護シートを備えることが好ましい。この保護シートを備えることで、使用前に、粘着層が、不本意に他の部材に接着してしまうようなことがなく、取り扱いが容易である。
【０００９】
前記基材シートとしては、例えば、紙、プラスチックフィルム（例えばポリエチレンラミネート等）、布、不織布等が挙げられる。
本考案の粘着クリーナは、例えば、ペットの毛（特に、衣服に付着したペットの毛）、人髪、糸くず、綿ホコリ、塵埃等を除去する用途に使用することができる。
【００１０】
前記粘着層は、例えば、周知のホットメルト系粘着剤、溶剤系粘着剤、水系粘着剤等を基材シート上に塗工することで形成できる。粘着剤の塗工量は、５〜５０ｇ／ｍ2の範囲が、汚れを確実に付着させ、保持する点から好適である。粘着剤の塗工方法としては、例えば、ファウンテンコータを用いる方法、熱排風型連続塗工機を用いる方法等が挙げられる。
【図面の簡単な説明】
【００１１】
【図１】粘着クリーナ１の構成を表す斜視図である。
【図２】粘着クリーナ１の構成を表す平面図である。
【図３】粘着クリーナ１の使用方法を表す説明図である。
【考案を実施するための形態】
【００１２】
本考案の実施形態を説明する。
【実施例】
【００１３】
１．粘着クリーナ１の構成
粘着クリーナ１は、図１に示すように、中空円筒状の基材シート３と、その外周側に設けられた粘着層５とを備える。
【００１４】
基材シート３は、中空円筒状の紙から成り、折り曲げ自在である。基材シート３を図１における上方向から見て、円形となるようにした場合、その直径は５０ｍｍである。また、基材シート３の幅（図１における高さ）は４５ｍｍである。
【００１５】
基材シート３の内周側３ａは、ロー引き加工されており、その加工がされていない場合よりも、手（指）で持ったときに滑りやすくなっている。また、基材シート３には、それを横断するミシン目７が形成されており、そのミシン目７において、容易に引き裂くことができる。
【００１６】
粘着層５は、基材シート３の外周面のうち、両端から３ｍｍの部分に形成されたのり無し部９を除く領域に、全周にわたって設けられている。粘着層５は、周知のホットメルト系粘着剤から成る。更に詳しくは、スチレン系又はオレフィン系のホットメルト系粘着剤である。粘着剤の塗工量は、１０〜５０ｇ／ｍ2である。
【００１７】
また、粘着クリーナ１は、図２に示すように、その外周面を覆う保護シート１１を備えている。保護シート１１は、紙から成り、その幅（図２における奥行き方向の長さ）は、基材シート３の幅と同じであり、その長手方向の長さは、基材シート３の外周を完全に覆うのに必要十分な長さである。保護シート１１の内周面は、周知の剥離処理（例えば、特開２０００−１９００７４号公報の段落００２４〜００２５に記載された剥離剤を塗布する処理）が施されている。
【００１８】
２．粘着クリーナ１の使用方法
粘着クリーナ１は、そのままでは、保護シート１１によって、粘着層５が覆われている。使用時には、保護シート１１を剥がす。このとき、保護シート１１の内周面は、上記のように、剥離処理が施されているので、容易に剥がれる。
【００１９】
次に、図３に示すように、手の指を数本（図３では３本）粘着クリーナ１の内部に差し込む。そして、粘着クリーナ１のうち、指の腹と対向する部分（図３において点線矢印で示す部分）の粘着層５を、清掃したい面（以下、清掃面とする）に押し当てる。
【００２０】
次に、粘着層５を清掃面に押し当てたまま、粘着クリーナ１を（すなわち粘着クリーナ１をはめた手を）、清掃面と平行な方向（図３におけるＡ方向、又はＢ方向）に動かす。
このとき、粘着層５と清掃面との間には、粘着層５の粘着力によって大きな摩擦力が生じ、しかも、基材シート３の内周側は、ロー引き加工により、指との摩擦力が小さくなっているから、粘着クリーナ１の清掃面に沿った移動に伴い、粘着クリーナ１は、指に対して、滑るように回転する。さらに詳しくは、図３におけるＡ方向に粘着クリーナ１を移動させたときは、粘着クリーナ１は、指に対し、Ｃ方向に回転する。このとき、粘着層５は、清掃面に対して横滑りしない。また、図３におけるＢ方向に粘着クリーナ１を移動させたときは、粘着クリーナ１は、指に対し、Ｄ方向に回転する。このときも、粘着層５は、清掃面に対して横滑りしない。
【００２１】
また、粘着クリーナ１は、図３におけるＥ、Ｆ方向に往復させて（すなわち、清掃面に押し当てたり、引き離したりして）使用することもできる。
使用後は、ミシン目７において粘着クリーナ１を引き裂いて帯状とし、粘着層５同士を張り合わせるように折り曲げて、廃棄することができる。
【００２２】
３．粘着クリーナが奏する効果
（１）粘着クリーナ１は、従来のローラ式粘着クリーナとは異なり、取手や本体部が必要ないため、携帯性に優れている。そのため、例えば、外出先で衣服に付着したペットの毛、ゴミ、塵埃等を除去することができる。
（２）粘着クリーナ１は、基材シート３の内周側にロー引き加工を施し、指との摩擦力を低減しているので、上述したように、指に対して粘着クリーナ１を回転させる使用方法を容易に行うことができる。
【００２３】
この使用方法によれば、粘着層５の広い範囲が次々に清掃面と当接するようになるので、粘着層５全体を有効に活用することができる。また、粘着層５が清掃面に対し横滑りせず、粘着剤が清掃面に擦り付けられないので、粘着層５の粘着剤が清掃面に転移してしまうようなことが生じ難い。
（３）使用後は、ミシン目７において粘着クリーナ１を引き裂き、粘着層５同士を張り合わせるように折り曲げて、廃棄することができる。そのため、廃棄した粘着クリーナ１の粘着層５が、不本意に他の部材に接着してしまうようなことがなく、取り扱いが容易である。
（４）粘着クリーナ１は、保護シート１１を備えているので、使用前に、粘着層５が、不本意に他の部材に接着してしまうようなことがなく、取り扱いが容易である。
【００２４】
尚、本考案は前記実施形態になんら限定されるものではなく、本考案を逸脱しない範囲において種々の態様で実施しうることはいうまでもない。
例えば、基材シート３の材質は、プラスチックフィルム、布、不織布等であっても、略同様の効果を奏することができる。
【００２５】
また、基材シート３の内周側に施す加工は、ロー引き加工に代えて、起毛加工、シリコン加工、又はラミネート加工であっても、指との摩擦力を低減し、ロー引き加工の場合と略同様の効果を奏することができる。
【００２６】
また、前記粘着層５は、ホットメルト系粘着剤以外の粘着剤を塗布した層であっても、略同様の効果を生じることができる。
また、基材シート３の直径は、使用者の手の大きさ、使用状況に応じて適宜設定できる。例えば、直径を上述した実施形態よりも小さくして、１〜２本の指を挿入する使用方法に対応させることができる。また、直径を上述した実施形態よりも大きくして、４本以上の指、又は掌を挿入する使用方法に対応させることができる。
【符号の説明】
【００２７】
１・・・粘着クリーナ、３・・・基材シート、５・・・粘着層、
７・・・ミシン目、９・・・のり無し部、１１・・・保護シート
【図１】
0003156411.tif 000003
【図２】
0003156411.tif 000004
【図３】
0003156411.tif 000005